(57)【要約】【課題】  電源主回路部に単一故障が発生しても、ＰＬＲポンプの運転を継続することができる原子炉冷却材の再循環ポンプ電源装置を提供する。【解決手段】  インバータを用いた原子炉冷却材の再循環ポンプ電源装置において、予備の電源主回路部と、この予備の電源主回路部の受電先，出力先を切替える遮断器とを設け、予備の電源主回路部を構成するインバータの制御を行うためにインバータ制御部の制御信号を切替えることにより、電源主回路部の単一故障発生時には、予備側の電源主回路部に切替えることにより、原子炉の原子炉冷却材の再循環ポンプの継続した制御，運転を行うことにより、電源主回路部の故障が発生した場合でも、信頼性の高い原子炉冷却材の再循環ポンプ電源装置を提供できる。【選択図】図１
2006292526.tif 000002
【特許請求の範囲】
【請求項１】
１系統が所内の高圧母線に接続される第１の遮断器と、該第１の遮断器と変圧器を介して接続されるインバータと、該インバータの出力側に接続される第２の遮断器と、前記インバータにゲートパルスを供給するゲートドライバと、該ゲートドライバを駆動するインバータ制御部で構成される電源装置を２系統設けるとともに予備の電源装置を設けた原子炉冷却材の再循環ポンプ電源装置であって、前記２系統設けた電源装置のうち前記インバータとゲートドライバを含む電源主回路部分が故障したことを故障検出部が検知した時は、前記予備の電源装置に切替えて炉心の流量制御を行う再循環ポンプを駆動する再循環ポンプモータの運転を継続する原子炉冷却材の再循環ポンプ電源装置。
【請求項２】
１系統が所内の高圧母線に接続される第１の遮断器と、該第１の遮断器と変圧器を介して接続されるインバータと、該インバータの出力側に接続される第２の遮断器と、前記インバータにゲートパルスを供給するゲートドライバと、該ゲートドライバを駆動するインバータ制御部で構成される電源装置を予備の１系統の電源装置と組み合わせ１組の電源装置とし、該１組の電源装置を２組設けた原子炉冷却材の再循環ポンプ電源装置であって、通常運転時に使用される電源装置のうち前記インバータとゲートドライバを含む電源主回路部分が故障したことを故障検出部が検知した時は、前記予備の１系統の電源装置に切替えて炉心の流量制御を行う再循環ポンプを駆動する再循環ポンプモータの運転を継続する原子炉冷却材の再循環ポンプ電源装置。
【請求項３】
前記予備の電源装置が１系統設けられるものであって、該予備の電源装置のインバータ制御部と前記２系統設けられた電源装置のインバータ制御部が１つの制御部で構成されている請求項１に記載の原子炉冷却材の再循環ポンプ電源装置。
【請求項４】
前記予備の電源装置が１系統設けられるものであって、該予備の電源装置のインバータ制御部と前記２系統設けられた電源装置のインバータ制御部が２つの制御部で構成されている請求項１に記載の原子炉冷却材の再循環ポンプ電源装置。
【請求項５】
前記予備の電源装置が１系統設けられるものであって、前記２系統設けられた電源装置のインバータ制御部が２つの制御部で構成され、該２つの制御部がインバータ制御信号切替器を介して前記予備の電源装置のインバータに接続されている請求項１に記載の原子炉冷却材の再循環ポンプ電源装置。
【請求項６】
前記２組の各インバータ制御部を１つの制御部で構成した請求項２に記載の原子炉冷却材の再循環ポンプ電源装置。
【請求項７】
前記２組の各インバータ制御部を２つの制御部で構成した請求項２に記載の原子炉冷却材の再循環ポンプ電源装置。
【請求項８】
１系統が所内の高圧母線に接続される第１の遮断器と、該第１の遮断器と変圧器を介して接続されるインバータと、該インバータの出力側に接続される第２の遮断器と、前記インバータにゲートパルスを供給するゲートドライバと、該ゲートドライバを駆動する２つの制御部を有するインバータ制御部で構成される電源装置と、１系統が所内の高圧母線に接続される第１の遮断器と、該第１の遮断器と変圧器を介して接続されるインバータと、該インバータの出力側に接続される第２の遮断器と、前記インバータにゲートパルスを供給するゲートドライバで構成される予備の電源装置とを１組の電源装置として２組並列に設け、前記２つの制御部がインバータ制御信号切替器を介して前記予備の電源装置のゲートドライバに接続されている原子炉冷却材の再循環ポンプ電源装置。
【請求項９】
前記２系統の電源装置のインバータ制御部が２重化されたものであって、
前記予備の電源装置のインバータ制御部が１重化である請求項１に記載の原子炉冷却材の再循環ポンプ電源装置。
【請求項１０】
前記１系統の電源装置のインバータ制御部が２重化されたものであって、
前記予備の電源装置のインバータ制御部が１重化である請求項１に記載の原子炉冷却材の再循環ポンプ電源装置。
【発明の詳細な説明】
【技術分野】
【０００１】
本発明は、原子力発電プラントの原子炉の出力制御を行うために原子炉冷却材の再循環ポンプを運転，制御するのに好適な原子炉冷却材の再循環ポンプ電源装置に関する。
【背景技術】
【０００２】
従来、原子炉出力の制御のため、炉心の流量制御を原子炉冷却材の再循環ポンプ
(Primary Loop Recirculation ポンプの略でＰＬＲポンプという) で行っている。ＢＷＲ（沸騰水型軽水炉の略）プラントでは、原子炉の出力制御は、２系統の構成のＰＬＲポンプで行い、電源装置に再循環ポンプに接続されたモータの回転速度を可変制御するためのＭＧセットを用いていた。ＭＧセットは、所内の２系統の高圧母線のそれぞれに受電遮断器を介して接続され、高圧母線からの電力供給により回転する誘導電動機と、誘導電動機の回転軸に接続された可変速流体継手と、可変速流体継手に接続された発電機とで構成される。発電機には再循環ポンプをトリップさせる遮断器（以下ＲＰＴ遮断器という）を介してモータが接続され、発電機で発電した電力をＲＰＴ遮断器を介してモータに供給し、可変速流体継手により発電機の回転速度を制御してモータに供給する電圧／周波数を制御することにより再循環ポンプの回転速度を制御して原子炉冷却材の流量を制御していた。
【０００３】
ＭＧセットを用いた従来の技術では、プラント運転中にタービントリップ又は負荷遮断が生じた場合には、原子炉スクラムと併用し、ＲＰＴ遮断器を遮断してＰＬＲポンプを２台トリップし、炉心流量を急速に減少させて原子炉の過渡出力上昇を緩和し、燃料の健全性を維持していた。
【０００４】
近年、大容量パワー半導体デバイスの発展により、可変周波数電源はＭＧセットに代わりパワー半導体デバイスを用いた静止型の可変周波数電源装置（インバータ）が使用されるようになり、リプレース時等に、従来のＭＧセットを廃止してインバータを用いた静止型の可変周波数電源装置が適用されるようになってきた。〔特許文献１〕には、電流形インバータを適用した原子炉冷却材の再循環ポンプ電源装置が開示されている。
【０００５】
インバータ電源装置を適用した発電プラントでは、ＭＧセットを適用した原子炉冷却材の再循環ポンプと比較して、ＭＧセットを構成する誘導電動機，可変速流体継手，発電機の他、補機類である油装置が不要となるため、保守性が向上するとともに、低出力時の効率や速度制御の線形性が向上する等の利点がある。
【０００６】
【特許文献１】特開平８−８００６１号公報
【発明の開示】
【発明が解決しようとする課題】
【０００７】
〔特許文献１〕に記載の電流形インバータを適用した原子炉冷却材の再循環ポンプ電源装置では、電流形インバータが電気回路的には電流源の役割を果たすので、インバータの出力側を遮断して無負荷運転にすることができない。このため、タービントリップ時又は負荷遮断のプラント異常時には、再循環ポンプトリップ制御部(以下ＲＰＴ制御部という)からのＲＰＴ信号により、系統と電流形インバータとの間に設けられたインバータ受電遮断器をまずトリップし、インバータ制御部からの停止信号により電流形インバータを停止してＰＬＲポンプを２台停止させていた。
【０００８】
又、ＰＬＲポンプは、２系統で構成され２台のＰＬＲポンプにより原子炉の出力制御を行っている。そのため、単一故障で、一方の系が運転不可となった場合は、原子炉出力を低下させる必要があり、原子炉冷却材の再循環ポンプ電源装置には高い信頼性が求められている。そのため、通常は、インバータ制御部の単一故障により、プラント停止に至ることがないように、インバータ制御部に冗長性を有する構成としているが、インバータ及びインバータにゲートパルスを供給するゲートドライバ等のＰＬＲポンプモータに電力を供給する電源主回路部分は１重構成となっている。
【０００９】
インバータ主回路，ゲートドライバ等に使用される半導体素子は、製品ロット上での不良や、偶発故障により、その機能を喪失する可能性もあるため、電源主回路部の単一故障により、運転不可となる可能性を有している。
【００１０】
本発明の第１の目的は、電源主回路部に単一故障が発生しても、ＰＬＲポンプの運転を継続することができる原子炉冷却材の再循環ポンプ電源装置を提供することにある。
【００１１】
本発明の第２の目的は、ＰＬＲポンプを高速，安全にトリップさせることができ、電源主回路部に単一故障が発生しても、ＰＬＲポンプの運転を継続することができる原子炉冷却材の再循環ポンプ電源装置を提供することにある。
【課題を解決するための手段】
【００１２】
上記目的を達成する本発明の原子炉冷却材の再循環ポンプ電源装置は、インバータを用いた原子炉冷却材の再循環ポンプ電源装置において、予備の電源主回路部と、この予備の電源主回路部の受電先，出力先を切替える遮断器とを設け、予備の電源主回路部を構成するインバータの制御を行うためにインバータ制御部の制御信号を切替えることにより、電源主回路部の単一故障発生時には、予備側の電源主回路部に切替えることにより、原子炉の原子炉冷却材の再循環ポンプの継続した制御，運転を行うものである。これにより、電源主回路部の故障が発生した場合でも、信頼性の高い原子炉冷却材の再循環ポンプ電源装置を提供できる。
【発明の効果】
【００１３】
本発明によれば、原子炉冷却材の再循環ポンプ電源装置において、予備の電源主回路部と、この予備の電源主回路部の受電先，出力先を切替える遮断器とを設け、予備の電源主回路部を構成するインバータの制御を行うためにインバータ制御部の制御信号を切替えているので、電源主回路部の単一故障発生時には、予備側の電源主回路部に切替えることにより、原子炉で原子炉冷却材の再循環ポンプの継続した制御，運転を行うことができる。
【発明を実施するための最良の形態】
【００１４】
本発明一実施例を図１から図８を用いて説明する。図１は、本実施例の原子炉冷却材の再循環ポンプの電源装置の構成図である。
【００１５】
図１に示すように、所内の高圧母線１には遮断器３を介して変圧器７が接続され、高圧母線２には遮断器６を介して変圧器９が接続される。又、高圧母線１には遮断器４が接続され、高圧母線２には遮断器５が接続され、遮断器４及び遮断器５には変圧器８が接続される。変圧器７にはインバータ１０が接続され、変圧器８には予備のインバータ１１が接続され、変圧器９にはインバータ１２が接続される。インバータ１０は遮断器１３を介してＲＰＴ遮断器１７と接続され、予備のインバータ１１は遮断器１４を介してＲＰＴ遮断器１７と接続されている。ＲＰＴ遮断器１７はＰＬＲポンプモータ１９を介してＰＬＲポンプ２１と接続されている。予備のインバータ１１は遮断器１５を介してＲＰＴ遮断器
１８と接続され、インバータ１２は遮断器１６を介してＲＰＴ遮断器１８と接続されている。ＲＰＴ遮断器１８はＰＬＲポンプモータ２０を介してＰＬＲポンプ２２と接続されている。ＰＬＲポンプ２１，２２は配管３６で原子炉４０と接続され、ＰＬＲポンプ２１とＰＬＲポンプ２２の両方で原子炉４０の原子炉冷却材の炉心流量を制御している。
【００１６】
原子炉再循環制御部２３はインバータ制御部２５及びインバータ制御部２６と接続され、インバータ制御部２５はインターフェイス３０，ゲートドライバ３１を介してインバータ１０と接続され、インバータ制御部２６はインターフェイス３２，ゲートドライバ３３を介して予備のインバータ１１と接続されている。インバータ制御部２６の信号よりゲートドライバ３１が駆動され、インバータ１０にゲートパルスが供給される。
【００１７】
原子炉再循環制御部２４はインバータ制御部２６及びインバータ制御部２７と接続され、インバータ制御部２７はインターフェイス３４，ゲートドライバ３５を介してインバータ１２と接続されている。インバータ制御部２７の信号よりゲートドライバ３５が駆動され、インバータ１２にゲートパルスが供給される。
【００１８】
故障検出部２８が設けられており、原子炉冷却材の再循環ポンプ電源装置の運転状態を監視し、故障を検出している。図示は省略しているが、故障検出部はインバータ１２側にも設けられており、原子炉冷却材の再循環ポンプ電源装置の運転状態を監視し、故障を検出している。
【００１９】
このように、ＰＬＲポンプ２１とＰＬＲポンプ２２で２系統の原子炉冷却材の再循環系が構成され、通常運転時は、遮断器３，遮断器１３，ＲＰＴ遮断器１７を閉状態とし、インバータ１０から電力をＰＬＲポンプモータ１９に供給し、遮断器６,遮断器１６,ＲＰＴ遮断器１８を閉状態とし、インバータ１２から電力をＰＬＲポンプモータ２０に供給している。この時には、遮断器４又は遮断器５は閉状態に設定し、遮断器１４，１５は開状態に設定してＰＬＲポンプモータ１９又はＰＬＲポンプモータ２０に電力を供給はしないが、予備のインバータ１１を充電して待機状態にしている。ここで、遮断器４と遮断器５，遮断器１４と遮断器１５は両方の遮断器が同時期に閉状態となると、ＰＬＲポンプモータ１９かＰＬＲポンプモータ２０のいずれか一方に予備のインバータ１１とインバータ１０又は１２の両方から電力を供給してしまうことになるため、両方が同時期に閉状態とならないようにインターロックが設けられている。又、予備のインバータ１１のインバータ制御部２６は、原子炉再循環制御部２３，２４のうちどちらかの制御信号により追従できる状態で待機させている。
【００２０】
この状態で、例えばＰＬＲポンプモータ１９に電力供給を行う、インバータ１０及びインバータ１０にゲートパルスを供給するゲートドライバ３１，インバータ制御部２５等のＰＬＲポンプモータに電力を供給する電源主回路部分が故障したことが故障検出部２８で検知された場合、遮断器３，遮断器１３を遮断して開状態に、又、インバータ１０を停止させ、遮断器１４を閉状態とし待機状態となっている予備のインバータ１１を駆動させる。これにより、ＰＬＲポンプモータ１９に電力を供給するインバータは、予備のインバータ１１に切替わり、ＰＬＲポンプモータ１９の運転を継続する。
【００２１】
なお、予備のインバータ１１に切替わった時、遮断器５が閉状態となっており、高圧母線２から予備のインバータ１１の給電を行っている場合は、インバータ１２も高圧母線２から給電されているため、予備のインバータ１１への切替え操作が終了し、運転状態が安定した後に、遮断器４を閉じ、遮断器５を遮断して、高圧母線１から給電するように切替える。また、予備のインバータ１１のインバータ制御部２６が、待機時に原子炉再循環制御部２４からの制御信号により追従できる状態であった場合は、運転状態が安定した後に、原子炉再循環制御部２３からの制御信号により制御するように切替える。
【００２２】
又、ＰＬＲポンプモータ２０に給電しているインバータ１２側の電源主回路部分の故障が発生した場合は、故障検出部が故障を検出し、遮断器６，遮断器１６を遮断して開状態とし、又、インバータ２０を停止させ、予備のインバータ１１を駆動させ、遮断器１５を閉状態とする制御を行うことにより、故障した電源主回路部分から予備側の電源主回路部分に切替えてＰＬＲポンプモータ２０の運転を継続する。又、上述した場合と同様に、遮断器４を閉状態とし、高圧母線１から予備のインバータ１１の給電を行っていた場合は、予備のインバータ１１側への切替え操作が終了し、運転状態が安定した後に、遮断器５を閉状態に、遮断器４を遮断して開状態に切替え操作を行う。また、予備のインバータ１１のインバータ制御部２６が、待機時に原子炉再循環制御部２３からの制御信号により追従できる状態であった場合は、運転状態が安定した後に、原子炉再循環制御部２４からの制御信号により制御するように切替える。
【００２３】
インバータ１０，１１，１２に電圧形インバータを適用した場合、インバータ制御部からのインバータ制御信号に基づき電圧／周波数が一定で運転され、ＰＬＲポンプモータの回転速度制御が制御される。この時、タービントリップ又は負荷遮断が生じた場合、電圧形インバータを適用しているので、インバータの出力側のＲＰＴ遮断器を遮断することで対応可能であり、インバータの運転を停止してＰＬＲポンプモータを高速，安全にトリップさせることができる。
【００２４】
図２は図１に示す例の変形例を示す図である。図２に示す例は、図１に示す例と同様に構成されているが、図２に示す例では、インバータ制御部５０，５１，５２を２重化構成としている。すなわち、インバータ制御部５０，５１，５２は、それぞれ制御部を２つ備えており、それぞれの制御部は原子炉再循環制御部２３，２４のそれぞれと接続されている。このように構成しているので、インバータ制御部５０，５１，５２の運転中の制御部に故障が発生した場合は、インバータ制御部５０，５１，５２の待機系の制御部に切替えことができる。このため、インバータ制御部の故障に対しては、制御部を切替えることで対応が可能となる。電源主回路部分で故障が発生した場合は、図１に示す例と同様に、電源主回路部分を予備側へ切替えることにより、ＰＬＲポンプモータの運転を継続する。
【００２５】
図３は、図２に示す例の変形例を示す図である。図３に示す例では、図２に示す例では、予備のインバータ制御部５１の代わりにインバータ制御信号切替器５３，５４，５５，５６を設けている。インバータ制御部５０の２つの制御部とインターフェイス３０との接続部にはそれぞれ分岐部が設けられ、それぞれの分岐部はインバータ制御信号切替器５３の端子，インバータ制御信号切替器５４の端子に接続されている。又、インバータ制御部５２の２つの制御部とインターフェイス３４との接続部にはそれぞれ分岐部が設けられ、それぞれの分岐部はインバータ制御信号切替器５５の端子，インバータ制御信号切替器
５６の端子に接続されている。インバータ制御信号切替器５３の他方の端子，インバータ制御信号切替器５４の他方の端子は、それぞれインターフェイス３２と接続されている。又、故障検出部２８はインバータ制御信号切替器５３，５４部に接続され、インバータ制御信号切替器５３又はインバータ制御信号切替器５４がオン状態になった時に、インターフェイス３２を介して予備のインバータ１１，ゲートドライバ３３の故障を検出するようになっている。
【００２６】
本実施例では、予備のインバータ１１，ゲートドライバ３３，インターフェイス３０のいずれかに故障が検出された場合、故障検出部２８で故障を検出し、遮断器１３を遮断して閉状態とし、遮断器１４を開状態に切替え、インバータ制御部５０の使用している制御部側のインバータ制御信号切替器をオンしてインバータ制御部５０の接続先を予備のインバータ１１に切替えて予備のインバータ１１でＰＬＲポンプモータ１９の制御を継続する。ここで、インバータ制御信号切替器５３，５４，５５，５６は、それぞれ同時に閉状態とならないようにインターロックを設けている。
【００２７】
このように構成することにより、電源主回路部分で故障が発生した場合は、故障した側のインバータ制御部を活用して予備のインバータ１１の制御が行え、ＰＬＲポンプモータの制御，運転を継続できる。
【００２８】
図４は、図２に示す例の変形例を示す図である。図４に示す例では、図２に示す例と同様に構成されているが、予備のインバータ１１のインバータ制御部を一重のインバータ制御部２６を用いている。
【００２９】
図５は、図１に示す例の変形例を示す図である。図５に示す例は、図１に示す例と同様に構成されているが、図１に示す例では、高圧母線１，２から遮断器４，５を介して共通の変圧器８に接続していたのを、高圧母線１から遮断器４を介して変圧器８ａに、高圧母線２から遮断器５を介して変圧器８ｂに接続するようにして各系統毎に予備のインバータ１１及びインバータ制御部２６を設けている。
【００３０】
すなわち、高圧母線１には遮断器４を介して変圧器８ａが接続され、変圧器８ａには予備のインバータ１１ａ，遮断器１４，ＲＰＴ遮断器１７が直列に接続されている。予備のインバータ１１ａには、原子炉再循環制御部２３からインバータ制御部２６ａ，インターフェイス３２ａ，ゲートドライバ３３ａが順次接続される。
【００３１】
一方、高圧母線２には、遮断器５を介して変圧器８ｂが接続され、変圧器８ｂには予備のインバータ１１ｂ，遮断器１５，ＲＰＴ遮断器１８が直列に接続されている。予備のインバータ１１ｂには、原子炉再循環制御部２４からインバータ制御部２６ｂ，インターフェイス３２ｂ，ゲートドライバ３３ｂが順次接続される。
【００３２】
通常運転時は、高圧母線１の系統側は、遮断器３，遮断器１３が閉状態で、インバータ１０からの電力がＰＬＲポンプモータ１９に供給されている。この時、遮断器４は閉状態、遮断器１４は開状態であり、予備のインバータ１１ａは充電状態で待機しており、インバータ制御部２６ａは原子炉再循環制御部２３の信号に追従した状態で待機している。高圧母線２の系統側は、遮断器６，遮断器１６が閉状態で、インバータ１２からの電力が
ＰＬＲポンプモータ２０に供給されている。この時、遮断器５は閉状態、遮断器１５は開状態であり、予備のインバータ１１ｂは充電状態で待機しており、インバータ制御部26ｂは原子炉再循環制御部２４の信号に追従した状態で待機している。
【００３３】
この時、例えば、高圧母線１側のＰＬＲポンプ２１に電力供給を行う電源主回路部分に故障が発生した場合、故障検出部２８が故障を検出し、遮断器３，遮断器１３を遮断して開状態とし、又、インバータ１０を停止させ、予備のインバータ１１ａを駆動させ、遮断器１４を閉状態とすることにより、高圧母線１側の電源主回路部分を予備側に切替えて
ＰＬＲポンプモータ１９の運転を継続する。
【００３４】
このように、高圧母線の系統毎に予備のインバータ制御部，電源主回路部分を備えているので、予備側への切替え制御が容易となる利点がある。
【００３５】
図６は、図２に示す例の変形例を示す図である。図６に示す例は、図２に示す例と同様に構成されているが、図２に示す例では、高圧母線１，２から遮断器４，５を介して共通の変圧器８に接続していたのを、高圧母線１から遮断器４を介して変圧器８ａに、高圧母線２から遮断器５を介して変圧器８ｂに接続するようにして各系統毎に予備のインバータ１１及びインバータ制御部５１を設けている。
【００３６】
すなわち、高圧母線１には遮断器４を介して変圧器８ａが接続され、変圧器８ａには予備のインバータ１１ａ，遮断器１４，ＲＰＴ遮断器１７が直列に接続されている。予備のインバータ１１ａには、原子炉再循環制御部２３からインバータ制御部５１ａ，インターフェイス３２ａ，ゲートドライバ３３ａが順次接続される。
【００３７】
一方、高圧母線２には、遮断器５を介して変圧器８ｂが接続され、変圧器８ｂには予備のインバータ１１ｂ，遮断器１５，ＲＰＴ遮断器１８が直列に接続されている。予備のインバータ１１ｂには、原子炉再循環制御部２４からインバータ制御部５１ｂ，インターフェイス３２ｂ，ゲートドライバ３３ｂが順次接続される。
【００３８】
通常運転時は、高圧母線１の系統側は、遮断器３，遮断器１３が閉状態で、インバータ１０からの電力がＰＬＲポンプモータ１９に供給されている。この時、遮断器４は閉状態、遮断器１４は開状態であり、予備のインバータ１１ａは充電状態で待機しており、インバータ制御部５１ａは原子炉再循環制御部２３の信号に追従した状態で待機している。高圧母線２の系統側は、遮断器６，遮断器１６が閉状態で、インバータ１２からの電力が
ＰＬＲポンプモータ２０に供給されている。この時、遮断器５は閉状態、遮断器１５は開状態であり、予備のインバータ１１ｂは充電状態で待機しており、インバータ制御部51ｂは原子炉再循環制御部２４の信号に追従した状態で待機している。
【００３９】
この時、例えば、高圧母線１側のＰＬＲポンプ２１に電力供給を行う電源主回路部分に故障が発生した場合、故障検出部２８が故障を検出し、遮断器３，遮断器１３を遮断して開状態とし、又、インバータを停止させ、予備のインバータ１１ａを駆動させ、遮断器
１４を閉状態とすることにより、高圧母線１側の電源主回路部分を予備側に切替えてPLRポンプモータ１９の運転を継続する。
【００４０】
このように、高圧母線の系統毎に予備のインバータ制御部，電源主回路部分を備えているので、予備側への切替え制御が容易となる利点がある。
【００４１】
図７は、図６に示す例の変形例を示す図である。図７に示す例は、図６に示す例と同様に構成されているが、図７に示す例では、予備側のインバータ制御部を省略している。すなわち、インバータ制御部５０の２つの制御部とインターフェイス３０とのそれぞれの接続部から分岐した信号線をインターフェイス３２ａに接続し、インバータ制御部５１ａを省略している。又、インバータ制御部５２の２つの制御部とインターフェイス３４とのそれぞれの接続部から分岐した信号線をインターフェイス３２ｂに接続し、インバータ制御部５１ｂを省略している。
【００４２】
このように構成しているので、電源主回路部分に故障が発生した場合は、インバータ制御部とインターフェイスとの接続を予備側のインターフェイスとの接続に切替えてＰＬＲポンプモータの制御，運転を継続できる。
【００４３】
図８は、図６に示す例の変形例を示す図である。図８に示す例は、図６に示す例と同様に構成されているが、図８に示す例では、予備側のインバータ制御部を一重のインバータ制御部２６としている。
【００４４】
本実施例によれば、原子炉冷却材の再循環ポンプ電源装置において、予備の電源主回路部と、この予備の電源主回路部の受電先，出力先を切替える遮断器とを設け、予備の電源主回路部を構成するインバータの制御を行うためにインバータ制御部の制御信号を切替えているので、電源主回路部の単一故障発生時には、予備側の電源主回路部に切替えることにより、原子炉で原子炉冷却材の再循環ポンプの継続した制御，運転を行うことができる。
【００４５】
また、予備の電源装置を設けているので、制御部の故障が発生した時にも、電源主回路部の切替えを行うことにより、制御部を１重構成にしても、冗長性を有しコストが低減でき、配置スペースが低減できる信頼性の高い原子炉冷却材の再循環ポンプ電源装置を提供することができる。
【００４６】
また、予備系のインバータ制御を故障が発生した電源主回路部の制御部を使用して制御することにより、予備系のインバータ制御部を設けなくてもよく、コスト，配置スペースを低減した原子炉冷却材の再循環ポンプ電源装置を提供することができる。
【図面の簡単な説明】
【００４７】
【図１】本発明の一実施例である原子炉冷却材の再循環ポンプ電源装置の構成図である。
【図２】図１に示す例の変形例である原子炉冷却材の再循環ポンプ電源装置の構成図である。
【図３】図２に示す例の変形例である原子炉冷却材の再循環ポンプ電源装置の構成図である。
【図４】図２に示す例の変形例である原子炉冷却材の再循環ポンプ電源装置の構成図である。
【図５】図１に示す例の変形例である原子炉冷却材の再循環ポンプ電源装置の構成図である。
【図６】図２に示す例の変形例である原子炉冷却材の再循環ポンプ電源装置の構成図である。
【図７】図６に示す例の変形例である原子炉冷却材の再循環ポンプ電源装置の構成図である。
【図８】図６に示す例の変形例である原子炉冷却材の再循環ポンプ電源装置の構成図である。
【符号の説明】
【００４８】
１，２…高圧母線、３，４，５，６，１３，１４，１５，１６…遮断器、７，８，９…変圧器、１０，１１，１２…インバータ、１７,１８…ＲＰＴ遮断器、１９,２０…ＰＬＲポンプモータ、２１，２２…ＰＬＲポンプ、２３，２４…原子炉再循環制御部、２５，
２６，２７，５０，５１，５２…インバータ制御部、２８…故障検出部、３０，３２，
34…インターフェイス、３１，３３，３５…ゲートドライバ、４０…原子炉、５３，
５４，５５，５６…インバータ制御信号切替器。
【図１】
2006292526.tif 000003
【図２】
2006292526.tif 000004
【図３】
2006292526.tif 000005
【図４】
2006292526.tif 000006
【図５】
2006292526.tif 000007
【図６】
2006292526.tif 000008
【図７】
2006292526.tif 000009
【図８】
2006292526.tif 000010